(57)【特許請求の範囲】
【請求項１】
情報記録媒体を回転可能に収納し、少なくとも一方に記録再生のための第１の開口部を有する上下シェルと、
前記第１の開口部と略同形の第２の開口部を有するインナーシェルと、
前記インナーシェルに設けた支持軸に回動可能に取り付けられていて前記インナーシェルを回転させることによって、前記支持軸を中心に回動して前記第１の開口部を開閉するシャッタと、
を備え、
前記支持軸を、前記シャッタに設けた軸受孔に挿入し、前記支持軸の先端部を熱かしめ装置でかしめ加工して抜け止め用の傾斜した拡径頭部を形成し、前記インナーシェルに前記シャッタを回動可能に取り付けるディスクカートリッジの製造方法であって、
前記支持軸の先端部には、予め前記熱かしめ装置の頭部成型チップの先端部を導入する凹部を設けておくとともに、前記軸受孔を前記シャッタの表裏面を貫通させて形成し、前記シャッタの表面側の端部には、前記支持軸の先端部に形成する拡径頭部を収容する傾斜した拡径孔部を予め設けておいて、
前記支持軸の先端部に設けた凹部内に、前記熱かしめ装置の頭部成型チップの先端部を導入し、前記頭部成型チップで前記支持軸の先端部を加熱して溶融、軟化させ、前記凹部の周壁を外側に向けて倒すようにしながら前記支持軸の先端部を塑性変形させて前記拡径頭部を前記拡径孔部内に形成すること
を特徴とするディスクカートリッジの製造方法。
【請求項２】
前記熱かしめ装置は、前記頭部成型チップを瞬間加熱する加熱手段と、前記頭部成型チップを瞬間冷却する冷却手段と、を備えていること
を特徴とする請求項１に記載のディスクカートリッジの製造方法。
【請求項３】
前記熱かしめ装置の頭部成型チップの先端面は、前記支持軸の先端の凹部よりも大径の球面状に形成されていること
を特徴とする請求項２に記載のディスクカートリッジの製造方法。
【請求項４】
情報記録媒体を回転可能に収納し、少なくとも一方に記録再生のための第１の開口部を有する上下シェルと、
前記第１の開口部と略同形の第２の開口部を有するインナーシェルと、
前記インナーシェルに回動可能に設けた支持軸に取り付けられていて前記インナーシェルを回転させることによって前記支持軸を中心に回動して前記第１の開口部を開閉するシャッタと、
を備えたディスクカートリッジであって、
前記シャッタの支持軸が挿入される軸受孔は、前記シャッタの表裏面を貫通させて形成されていて、前記軸受孔は、前記シャッタの表面側の端部に傾斜した拡径孔部を備え、
前記支持軸は、前記拡径孔部内に収容されて前記シャッタが前記支持軸から抜け出るのを阻止するフランジ状の傾斜した拡径頭部を先端部に備えていること
を特徴とするディスクカートリッジ。
【発明の詳細な説明】
【０００１】
【発明の属する技術分野】
本発明は、情報記録媒体を回転可能に収納した上下シェルの開口部を開閉するシャッタの開閉操作をインナーシェルの回動によって行うようにしたディスクカートリッジの製造方法、具体的にはインナーシェルへのシャッタの取付方法に関するものである。
【０００２】
【従来の技術】
従来、一般に、音声、映像或いはコンピュータのデータ等の情報の記録及び／又は再生が可能な情報記録媒体をカートリッジ筐体内に回転自在に収納したディスクカートリッジとして、例えば、コンピュータのデータ等の情報を使用者が後から記録書き込みができる追記型あるいは書換型光ディスクを内蔵しているものが知られている。
【０００３】
図２９に示したように、ディスクカートリッジ１０１として、ディスク状の情報記録媒体１０２を回転可能に収納し、少なくとも一方に記録再生のための第１の開口部１０３を有する上下シェル１０４、１０５と、前記第１の開口部１０３と略同形の第２の開口部１０６を有するインナーシェル１０７と、インナーシェル１０７に設けた第１、第２の支持軸１０８、１０９を第１、第２の軸受孔１１０、１１１に挿入することにより、前記第１、第２の支持軸１０８、１０９に回動可能に取り付けられた第１、第２のシャッタ１１２、１１３を備えたものが知られている。
【０００４】
前記ディスクカートリッジ１０１は、インナーシェル１０７を一方向に回転させると第１、第２の支持軸１０８、１０９を中心にして第１、第２のシャッタ１１２、１１３が一方向に回動して第１の開口部１０３を閉塞し、インナーシェル１０７を他方向に回転させると第１、第２のシャッタ１１２、１１３が第１、第２の支持軸１０８、１０９を中心にして他方向に回動して第１の開口部１０３を開放するようになっている。
【０００５】
前記第１のシャッタ１１２は、前記下シェル１０５の内面に設けた第１の回動操作用の凸部１１４を挿入する第１の回動操作用の長孔１１５を備え、前記第２のシャッタ１１３は、前記下シェル１０５の内面に設けた第２の回動操作用の凸部１１６を挿入する第２の回動操作用の長孔１１７を備えている。
【０００６】
そして、前記インナーシェル１０７を一方向に回転させると前記第１、第２の回動操作用の凸部１１４、１１６と前記第１、第２の回動操作用の長孔１１５、１１７により、第１、第２のシャッタ１１２、１１３が、第１、第２の支持軸１０８、１０９を中心にして一方向に回動して第１の開口部１０３を閉塞し、インナーシェル１０７を他方向に回転させると、前記第１、第２のシャッタ１１２、１１３が第１、第２の支持軸１０８、１０９を中心にして他方向に回動して第１の開口部１０３を開放するようになっている。
【０００７】
【発明が解決しようとする課題】
ところで、前記第１、第２の支持軸１０８、１０９を、第１、第２の軸受孔１１０、１１１に挿入して、第１、第２のシャッタ１１２、１１３をインナーシェル１０７に組み付けただけでは、第１、第２のシャッタ１１２、１１３がインナーシェル１０７から容易に脱落してしまう。
【０００８】
そこで、第１、第２のシャッタ１１２、１１３の脱落を防止するために、図３０に示すように、前記第１、第２の支持軸１０８、１０９の先端部を第１、第２のシャッタ１１２、１１３の表面から突出させ、図３１に示すように、熱かしめ装置の頭部成型チップ（加熱チップ）２０２により前記第１、第２の支持軸１０８、１０９の先端部を加熱し、溶融状態にして塑性変形させて伏椀状の抜け止め用の拡径頭部１２１を形成し、該拡径頭部１２１により第１、第２のシャッタ１１２、１１３が前記第１、第２の支持軸１０８、１０９から抜け落ちるのを防止していたために、次に述べるような問題点があった。
（１）第１、第２のシャッタ１１２、１１３の表面から拡径頭部１２１が突出した状態になっているために、そのぶん第１、第２のシャッタ１１２、１１３に下シェル１０５を近付けるのが困難になり、ディスクカートリッジを薄形化する上で不利になる。
（２）第１、第２の支持軸１０８、１０９の先端部を、熱かしめ装置の頭部成型チップ２０２により加熱し、塑性変形させて拡径頭部１２１を形成するため、該拡径頭部１２１の周縁部１２２が前記第１、第２のシャッタ１１２、１１３の表面に溶着されてしまう恐れがある。（溶着されると第１、第２のシャッタ１１２、１１３は、回動不可能になる）。
【０００９】
本発明は、前記従来の問題点を解決したディスクカートリッジの製造方法を提供することを目的としてなされたものである。
【００１０】
【課題を解決するための手段】
本発明は、情報記録媒体を回転可能に収納し、少なくとも一方に記録再生のための第１の開口部を有する上下シェルと、前記第１の開口部と略同形の第２の開口部を有するインナーシェルと、前記インナーシェルに設けた支持軸に回動可能に取り付けられていて前記インナーシェルを回転させることによって、前記支持軸を中心に回動して前記第１の開口部を開閉するシャッタと、を備え、
前記支持軸を、前記シャッタに設けた軸受孔に挿入し、前記支持軸の先端部を熱かしめ装置でかしめ加工して抜け止め用の傾斜した拡径頭部を形成し、前記インナーシェルに前記シャッタを回動可能に取り付けるディスクカートリッジの製造方法であって、
前記支持軸の先端部には、予め前記熱かしめ装置の頭部成型チップの先端部を導入する凹部を設けておくとともに、前記軸受孔を前記シャッタの表裏面を貫通させて形成し、前記シャッタの表面側の端部には、前記支持軸の先端部に形成する拡径頭部を収容する傾斜した拡径孔部を予め設けておいて、
前記支持軸の先端部に設けた凹部内に、前記熱かしめ装置の頭部成型チップの先端部を導入し、前記頭部成型チップで前記支持軸の先端部を加熱して溶融、軟化させ、前記凹部の周壁を外側に向けて倒すようにしながら前記支持軸の先端部を塑性変形させて前記拡径頭部を前記拡径孔部内に形成することにより、
前記拡径頭部が前記シャッタの表面から突出するのを防止するとともに、前記拡径頭部が前記シャッタの表面に溶着されるのを防止した。
【００１１】
【発明の実施の形態】
次に、以下の順序で本発明を詳細に説明する。（１）ディスクカートリッジの概略構成、（２）インナーシェルへのシャッタの組付方法、（３）カートリッジ筐体の構成、（４）情報記録媒体の構成、（５）インナーシェルの構成、（６）シャッタの構成、（７）ディスクカートリッジの作用、の各項に分けて順に説明する。
【００１２】
（１）ディスクカートリッジの概略構成
図１は、ディスクカートリッジを上シェル側から見た斜視図、図２は図１の分解斜視図、図３は下シェル側から見たシャッタ開状態の斜視図、図４は図３の分解斜視図である。  図１〜図４に示したように、ディスクカートリッジ１は、ディスク状の情報記録媒体３を回転可能に収納し、少なくとも一方に記録再生のための第１の開口部６を有する上、下シェル２１、２２からなるカートリッジ筐体２と、前記第１の開口部６と略同形の第２の開口部４２を有するインナーシェル４と、前記インナーシェル４に連結されて前記第１の開口部を開閉するシャッタ５と、を備えている。
【００１３】
ディスクカートリッジ１は、カートリッジ筐体２内に、ディスク状の情報記録媒体３と、インナーシェル４と、シャッタ５とを収納することにより構成されていて、インナーシェル４を一方向に回転させると、シャッタ５がカートリッジ筐体２に設けた開口部６を閉じる第１の位置に移動し、インナーシェル４を他方向に回転させると、シャッタ５がカートリッジ筐体２に設けた開口部６を開放する第２の位置に移動するようになっている。前記シャッタ５は、一対のシャッタ部材５ａ，５ｂからなっている。
【００１４】
前記インナーシェル４は、前記一対のシャッタ部材５ａ，５ｂを回動可能に支持する一対の支持軸４９，４９を備えていて、これら一対の支持軸４９，４９を前記一対のシャッタ部材５ａ，５ｂに設けた軸受孔５２に挿入し、前記一対の支持軸４９，４９の先端部を、次に説明する熱かしめ装置でかしめ加工して抜け止め用の拡径頭部４９ｂを形成することにより、インナーシェル４に一対のシャッタ部材５ａ，５ｂを回動可能に結合されている。
【００１５】
カートリッジ筐体２は、上，下シェル２１，２２の周壁２１ａ，２２ａを突き合せることにより形成されていて、下シェル２２に前記開口部６が設けられている。上シェル２１の内面には、チャッキングプレート７がチャッキングプレート押さえ８によって垂直方向に移動自在に取り付けられている。
【００１６】
そして、前記ディスクカートリッジ１を情報記録再生装置に装填すると、チャッキングプレート７は、情報記録再生装置のターンテーブル側に磁気吸引されて、前記ディスク状の情報記録媒体３を前記情報記録再生装置のターンテーブルの間に挟み着けてチャッキングする構成になっている。
【００１７】
（２）インナーシェルへのシャッタの取付方法
図５に示すように、前記一対の支持軸４９，４９は、円柱のボス状に形成されていて、先端部には円形状の凹部４９ａが形成されている。前記一対の支持軸４９，４９及びその先端部の円形状の凹部４９ａは、インナーシェル４を成型する際に、これと一体的に樹脂成型されている。
【００１８】
前記軸受孔５２のシャッタ表面側の端部には、前記一対の支持軸４９，４９の先端部に形成される抜け止め用の拡径頭部４９ｂを収容する拡径孔部５２ａが形成されている。前記拡径孔部５２ａは、前記シャッタ部材５ａ，５ｂを樹脂成型する際に、軸受孔５２と同時に形成されている。
【００１９】
図６に示すように、前記一対のシャッタ部材５ａ，５ｂは、軸受孔５２に支持軸４９を挿入し、該支持軸４９の先端部をシャッタ部材の表面から突出させた状態でインナーシェル４上に載置される。
【００２０】
そして、図７に示すように、熱かしめ装置２０１で前記一対の支持軸４９，４９の先端部に抜け止め用の拡径頭部４９ｂを形成するようになっている。
【００２１】
前記熱かしめ装置２０１は、前記一対の支持軸４９，４９の先端部に設けた凹部４９ａ，４９ａ内に挿入される一対の頭部成型チップ２０２，２０２と、これら一対の頭部成型チップ２０２，２０２を加熱する頭部成型チップ加熱手段としての一対のヒーター２０３，２０３と、これら頭部成型チップ２０２及びヒーター２０３を設けた一対の支持ロッド２０４，２０４と、一対の支持ロッド２０４，２０４を昇降台２０５を介して昇降させるシリンダー２０６と、ワーク送り台２０７と、を備えている。
【００２２】
前記ヒーター２０３は、熱電対を内蔵していて、電気コード２０８を介して電源に接続されている。そして、前記熱電対に電源を供給することにより、前記頭部成型チップ２０２を瞬間的に加熱するようになっている。
【００２３】
図８に示すように、前記一対の支持ロッド２０４，２０４は、中空状に形成されていて、一端部にスパイラル状のエアチーブ２０９が接続されている。前記エアチューブ２０９は、頭部成型チップ冷却手段としてのエアコンプレッサー（図示省略）に接続されている。そして、前記エアコンプレッサーから冷却風を頭部成型チップ２０２に供給して、該頭部成型チップ２０２を瞬間的に冷却するようになっている。頭部成型チップ２０２を冷却した冷却風は、頭部成型チップ２０２に設けたスリット２１０から外部に排出されるようになっている。（上述のような頭部成型チップ２０２に対する瞬間加熱、瞬間冷却が可能な熱かしめ装置は、インパルスウェルダー装置と称されている）。
【００２４】
図９に示すように、前記頭部成型チップ２０２の直径φは、前記一対の支持軸４９，４９の直径よりも太い２〜３ｍｍ程度の太さに形成されているとともに、先端面２０２ａは、半径（Ｒ）が５〜１０ｍｍの球面状に形成されている。
【００２５】
そして、図１０の（Ａ）〜（Ｅ）に示すように、前記頭部成型チップ２０２の先端面２０２ａを、前記一対の支持軸４９，４９の先端部の凹部４９ａ内に挿入し、ヒーター２０３で瞬間的に加熱し、前記凹部４９ａの内側から前記一対の支持軸４９，４９の先端部を溶融、軟化させて、前記凹部４９ａの周壁を外側に向けて倒すように塑性変形させていって、図１０の（Ｅ）に示すように、拡径頭部４９ｂを前記拡径孔部５２ａ内に形成する。このとき、図１０の（Ｂ）に示すように、前記頭部成型チップ２０２の先端面２０２ａは、前記凹部４９ａの内周面４９ｃの上端に接触して、該内周面４９ｃ側のみを瞬間的に溶融させ、外周面４９ｄ側まで溶融するのを阻止し、該外周面４９ｄ側を前記拡径孔部５２ａの内周面に対向させるので、拡径頭部４９ｂが拡径孔部５２ａ内に溶着されるのを防止する。
【００２６】
このようにして、前記拡径頭部４９ｂを成型したら前記エアコンプレッサーにより冷却風を送り込んで、前記頭部成型チップ２０２を瞬間的に冷却するのである。前記拡径孔部５２ａは、少なくとも前記拡径頭部４９ｂを完全に収容できる容積（大きさ）に形成されている。
【００２７】
（３）カートリッジ筐体の構成
カートリッジ筐体２は、上，下シェル２１，２２の周壁２１ａ，２２ａを突き合せることにより形成されている。
【００２８】
図１及び図１２に示したように、上シェル２１は、正面側が円弧形状とされた略四角形をなす薄い皿状部材からなり、外周縁部には周壁２１ａが設けられている。また、上シェル２１の周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００２９】
周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分のそれぞれには、次に説明する下シェル２２の第１の防塵壁１１ａの内側に重なり合って、第１の防塵壁１１ａと共に第１の塵埃侵入阻止部１１を構成する第１の防塵壁１１ｂが設けられている。
【００３０】
第２の防塵壁１１ｂの内側には、これと略同じ高さの円弧状リブ１４が、第２の防塵壁１１ｂの一端部から他端部に跨るように円弧状に形成されている。
【００３１】
円弧状リブ１４の内側には、リング状リブ１５が設けられている。このリング状リブ１５の内側は、ディスク状の情報記録媒体３の収納部１６になっている。
【００３２】
リング状リブ１５の外側には、後に詳しく説明するインナーシェル４のリング部の先端が嵌合するリング状の凹部１７が設けられている。リング状の凹部１７の底面の前後対称位置（１８０°位相をずらした位置）にはインナーシェル４を下シェル２２から離間する方向に移動させるためのリフトアップ用の凸部１８が設けられている。リフトアップ用の凸部１８は、インナーシェル４のリング部４１の先端面に設けたインナーシェル側のリフトアップ用の凸部４６が乗り上げることにより、インナーシェル４を上シェル２１から離間する方向に移動させるようになっている。
【００３３】
図１２に示したように、下シェル２２は、上シェル２１と同様に正面側が円弧形状とされた略四角形をなす薄い皿状部材からなり、外周縁部には周壁２２ａが設けられている。
【００３４】
周壁２２ａは、前縁部２２ｂと、一対の側縁部２２ｃ，２２ｄと、後縁部２２ｅからなっている。後縁部２２ｅの中央部には、上シェル２１との位置決めを行う位置決め用の凸部２２ｆが設けられている。
【００３５】
周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、それぞれ上シェル２１の第２の防塵壁１１ｂの外側に重なり合って、第２の防塵壁１１ｂと共に第１の塵埃侵入阻止部１１を構成する第１の防塵壁１１ａが設けられている。
【００３６】
第１の防塵壁１１ａは、下シェル２２の周壁２２ａの先端から突出するように、下シェル２２の周壁２２ａの内面に重ね合わせた状態でこれと一体に形成されている。
【００３７】
図１３に示したように、第１の防塵壁１１ａの高さＨ1は、下シェル２２の周壁２２ａの高さＨ2に、上シェル２１の周壁２１ａの高さＨ3を加えた値（Ｈ1＝Ｈ2＋Ｈ3）の高さに形成されている。
【００３８】
第１の防塵壁１１ａの内側には、図１２に示したように、前記第１の防塵壁１１ａと略同じ高さの円弧状リブ１９が、第１の防塵壁１１ａの一端部から他端部に跨るように円弧状に形成されている。
【００３９】
下シェル２２の円弧状リブ１９…１９の内側は、インナーシェル４の肉厚方向の略半分及び一対のシャッタ５を収納する収納部になっている。
【００４０】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００４１】
そして、上，下シェル２１，２２を重ね合わせると、図１３に示したように、上シェル２１の第２の防塵壁１１ｂが下シェル２２の第１の防塵壁１１ａの内側面に０．１ｍｍ以上、０．５ｍｍ以下のクリアランスＣで重なり合って、第１の塵埃侵入阻止部１１が形成される。また、第１の塵埃侵入阻止部１１の内側（ディスク収納部側）においては、上シェル２１の円弧状リブ１４と下シェル２２の円弧状リブ１９が重なり合って、該部においても塵埃侵入阻止部が構成されている。
【００４２】
図１４に示したように、下シェル２２とシャッタ５の摺接面（接触面）には、シャッタ５が開口部６を閉じる第１の位置にある状態において、開口部６からディスク状記録媒体３側に塵埃が侵入するのを阻止するクランク状の第２の塵埃侵入阻止部１２が設けられている。
【００４３】
第２の塵埃侵入阻止部１２は、開口部６を囲むように下シェル２２に設けられたリブ状の凸部１２ａと、シャッタ５に設けられていて該シャッタ５が開口部６を閉じる第１の位置に移動してきたときに前記リブ状の凸部１２ａが嵌合する溝状の凹部１２ｂとで構成されている。
【００４４】
リブ状の凸部１２ａと溝状の凹部１２ｂの幅方向の端部は、傾斜面１２ｃになっていて、シャッタ５が開口部６を閉じている第１の位置から開口部６を開放する第２の位置に移動する際に、リブ状の凸部１２ａが溝状の凹部１２ｂから抜け出しやすくなっている。
【００４５】
また、下シェル２２とシャッタ５の摺接面の前記クランク状の第２の塵埃侵入阻止部１２よりも更に内側には、凹凸状の第３の塵埃侵入阻止部１３が設けられている。
【００４６】
図１２に示したように、下シェル２２には、中央部から前縁部２２ｂにかけて開口部６が設けられている。この開口部６は、ディスク回転駆動機構のターンテーブルと光学ピックアップ装置の光学ヘッドをディスク状の情報記録媒体３に臨ませるためのもので、これらが自由に出入りできる広さに設定されている。
【００４７】
第２の塵埃侵入阻止部１２を構成するリブ状の凸部１２ａは、開口部６を囲むように平面視略Ｈ形状に、且つ略０．５ｍｍ程度の高さに形成されている。略Ｈ形状のリブ状の凸部１２ａの４つの端部には第１〜第４の背高部（閉塞部）１２ｄ〜１２ｇが設けられている。第１〜第４の背高部１２ｄ〜１２ｇは、リブ状の凸部１２ａの高さの４倍程度の高さに形成されている。略Ｈ形状のリブ状の凸部１２ａの４端部は第１〜第４の背高部１２ｄ〜１２ｇを介して、前記円弧状リブ１９に接続されている。また、下シェル２２の内面には、後に説明する一対のシャッタ部材５ａ，５ｂの長孔５３に挿入されるボス状（円柱状）の凸部２０が設けられている。ボス状の凸部２０は、前記略Ｈ形状のリブ状の凸部１２ａを挟んでその両側部に１個づつ形成されている。
【００４８】
また、図３に示したように、上，下シェル２１，２２の一方の側縁部２１ｄ，２２ｄの略中央部には、インナーシェル４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｃ，２２ｃには、その接合面に沿って前後方向に延びるガイド溝３１が設けられている。このガイド溝３１は、ディスクカートリッジ１をディスク記録再生装置に装着する際の誤挿入防止等を目的として設けられたものである。このガイド溝３１には開口窓３０が連通されている。
【００４９】
図２に示したように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーシェル等の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００５０】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００５１】
前記ロック部材３２は、ストッパ部３６をインナーシェル等の収納部側に向けた状態で支持軸３５に嵌入され、バネ片３８が前縁部２２ｂの内面に当接される。このバネ片３８のバネ力によってストッパ部３６がインナーシェル等の収納部側に付勢されると共に、操作部３７が開口穴３４を内側から貫通してガイド溝３１内に突出される。また、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
（４）情報記録媒体の構成
情報記録媒体３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスクが知られているが、実施例では記録可能型の光ディスク（以下、ディスク状の情報記録媒体を単に光ディスクと称する）が使用されている。
【００５２】
図４に示したように、光ディスク３は、中央部にセンタ穴３ａが設けられた厚みの薄い円板状の記録部材からなる。
【００５３】
光ディスク３は、チャッキングプレート７により記録再生装置のターンテーブルにチャッキングされて回転方向に一体化されて所定速度（例えば、ゾーン毎の角速度一定）で回転される。
【００５４】
光ディスク３の一面には、記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の内側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００５５】
光ディスク３は、次に説明するインナーシェル４のリング部４１内に回転自在に収納される。なお、光ディスク３の基板の材質としては、例えば、ポリカーボネート（ＰＣ）、ポリメタクリレート（ＰＭＭＡ）等の合成樹脂が好適であるが、他の合成樹脂を用いることができることは勿論のこと、合成樹脂以外でも、ガラス材やアルミニウム合金等の各種の材料を用いることができる。
【００５６】
ディスク状の情報記録媒体としては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００５７】
（５）インナーシェルの構成
図２に示すように、インナーシェル４は、円盤状の薄い板材からなる平面部４０と、この平面部４０の外周縁に連続して設けられたリング部４１とを有している。インナーシェル４の平面部４０には、開口部４２が形成されている。この開口部４２は、下シェル２２の開口部６と形状及び大きさがほぼ等しく形成されている。
【００５８】
リング部４１は、上シェル２１のリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。また、リング部４１の外周面には、周方向の所定範囲に渡って多数の歯を有するギア部４３が設けられている。このギア部４３は、インナーシェル４の回転角度よりも少々大きい角度範囲となるように設定されている。即ち、図１６に示すように、下シェル２２の開口部６に対してインナーシェル４の開口部４２が最大に傾いて、次に説明する一対のシャッタ部材５ａ，５ｂが完全に閉じた状態になると、ギア部４３の周方向の一端が開口窓３０に露出される。また、図１５に示すように、インナーシェル４が所定角度回転して開口部４２と開口部６が重なり合った状態となり、一対のシャッタ部材５ａ，５ｂが完全に開いたときに、ギア部４３の周方向の他端が開口窓３０に露出される。
【００５９】
インナーシェル４のギア部４３の両側には、インナーシェル４の回転移動量を制限するストッパ部４４ａ，４４ｂが半径方向外側へ突出するように設けられている。
【００６０】
このようにギア部４３及びストッパ部４４ａ，４４ｂがリング部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。
【００６１】
図１５に示したように、インナーシェル４の開口部４２と下シェル２２の開口部６が重なり合った状態になると、ストッパ部４４ａの一端部が逃げ溝４５ａの一端部に設けたストッパ係合部４５ｃに係合してインナーシェル４の更なる回転を阻止する。また、図１６に示したように、インナーシェル４の開口部４２が下シェル２２の開口部６に対して最大に傾いた状態になると、ストッパ部４４ｂの一端部が開口部６の一端部に設けたストッパ係合部４５ｄに係合してインナーシェル４の更なる回転を阻止する。
【００６２】
更に、リング部４１の先端面には、周方向の２箇所にリフトアップ用の凸部４６が設けられている。これらインナーシェル側のリフトアップ用の凸部４６は、図１６に示したように、インナーシェル４の開口部４２が下シェル２２の開口部６に対して最大に傾いた状態において、図２３Ａに示したように、上シェル２１のリング状の凹部１７内に設けたリフトアップ用の凸部１８に乗り上げるようになっている。更に、インナーシェル４の平面部４０のリング部４１と反対側の面には、図１６に示したように、一対のシャッタ部材５ａ，５ｂを平面方向へ回動自在に支持するための一対の支持軸４９，４９が設けられている。この一対の支持軸４９，４９の先端部には、図５に示すように、円形状の凹部４９ａが設けられていることは前述の通りである。また、この一対の支持軸４９，４９は、開口部４２を中心にして点対称となるよう１個づつ設けられている。また、一対の支持軸４９，４９の近傍には、下シェル２２に設けた略Ｈ形状のリブ状の凸部１２ａと略同じ高さの台形状の嵌合解除用の凸部４８、４８が設けられている。これら嵌合解除用の凸部４８、４８は、シャッタ部材５ａ，５ｂが開口部６を閉じている図１６の位置（第１の位置）から開口部６を開放する図１５の位置（第２の位置）に移動する際に、リブ状の凸部１２ａを溝状の凹部１２ｂから抜き出すためのものである。
【００６３】
嵌合解除用の台形状の凸部４８、４８は、図１６に示す位置において、下シェル２２に設けた略Ｈ形状のリブ状の凸部１２ａの端部に設けた第２，第４の背高部１２ｅ，１２ｇの側方に位置している。
【００６４】
（６）シャッタの構成
図１７及び図１８に示したように、シャッタ５は、ほぼ同一の形状及び大きさに形成された一対のシャッタ部材５ａ，５ｂによって構成されている。前記一対のシャッタ部材５ａ，５ｂは、略半円形をなす前記リブ状の凸部１２ａの第１〜第４の背高部１２ｄ〜１２ｇの高さと略同じ板厚の板体によって形成されている。各シャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に庇状に突出する庇部５１ａ，５１ｂがそれぞれ設けられている。  かくして、一対のシャッタ部材５ａ，５ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材５ａ，５ｂの弦側辺の凸側接合部５０ｂ側の端部である軸組付部５０ｃには、軸受孔５２がそれぞれ設けられている。また、前述したように、前記軸受孔５２のシャッタ表面側には拡径孔部５２ａが設けられている。
【００６５】
シャッタ部材５ａ、５ｂの弦側辺の凹側接合部５０ｂ側の端部には、それぞれ下シェル２２の略Ｈ形状のリブ状の凸部１２ａの端部に設けた第２の背高部１２ｅ又は第４の背高部１２ｇを導入する切欠部５０ｄが設けられている。
【００６６】
前記軸受孔５２に平面部４０の支持軸４９を嵌合させることにより、各シャッタ部材５ａ，５ｂがインナーシェル４にそれぞれ回動自在に取り付けられる。この際、一対のシャッタ部材５ａ，５ｂは、互いの弦側辺を対向させて取り付けるようにする。その結果、図１９に示すように、一対のシャッタ部材５ａ、５ｂをそれぞれ外側へ離反させるように回動させたとき、各シャッタ部材５ａ，５ｂは、インナーロータ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図２０に示すように、開口部４２の中央部が一対のシャッタ部材５ａ，５ｂによって閉じられる。
【００６７】
更に、図１７〜図２０に示したように、シャッタ部材５ａ，５ｂの凹側接合部５０ｂ側には、このシャッタ部材５ａ，５ｂを開閉動作させるための長孔（開閉溝）５３がそれぞれ設けられている。各長孔５３は、それらが設けられているシャッタ部材５ａ，５ｂの軸受孔５２を中心に放射方向へ延びるように形成されている。この長孔５３には、下シェル２２のボス状の凸部２０が摺動可能に係合される。更に、各長孔５３の外側の端部には、周囲に切り込みを入れることによって形成された弾性片５４と、ボス状の凸部２０を逃がすための凹部５３ａとが設けられている。また、シャッタ部材５ａ，５ｂの円弧側辺には閉鎖用の凸片５５が設けられている。図２２に示したように、シャッタを閉じた状態において、前記シャッタ部材５ａの凸片５５は、下シェル２２の第１の背高部１２ｄに当接し、シャッタ部材５ｂの凸片５５は、下シェル２２の第３の背高部１２ｆに当接して、これらの間の隙間を塞ぐようになっている。
【００６８】
また、図１７、図２０に示したように、シャッタ部材５ａ，５ｂの下シェル２２との摺接面には、略Ｈ形状のリブ状の凸部１２ａと係合して、第２の塵埃侵入阻止部１２を構成する溝状の凹部１２ｂが設けられている。溝状の凹部１２ｂには、シャッタ部材５ａ，５ｂが開口部４２を閉じている状態において、下シェル２２のリブ状の凸部１２ａが嵌合するようになっている。また、第２の塵埃侵入阻止部１２の内側には、多数の凹凸からなる第３の塵埃侵入阻止部１３が設けられている。
【００６９】
シャッタ部材５ａ，５ｂの材質としては、例えば、ＡＢＳ樹脂（アクリロニトリル・ブタジエン・スチレン樹脂）、ＨＩＰＳ（高衝撃性ポリスチレン）、ＰＯＭ（ポリアセタール）等の合成樹脂が用いられ、更には摺動性が付与されたタイプの材料が好適である。しかしながら、その他の合成樹脂を適用できることは勿論のこと、アルミニウム合金、ステンレス鋼その他の金属材料を用いることもできる。
【００７０】
（７）ディスクカートリッジの作用
次に、ディスクカートリッジの作用をディスク記録再生装置の構成と共に説明する。ディスク記録再生装置６０は、図２１に示すように、中空の筐体からなる外装ケース６１と、この外装ケース６１内に収納された記録再生装置本体（図示省略）等をを備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００７１】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、ディスクカートリッジ１の正面側の大きさ略同程度の大きさに形成されている。このカートリッジ出入口６５は、その内側に配置された開閉扉６６によって常時は閉じられている。
【００７２】
この開閉扉６６をディスクカートリッジ１の前部で押圧し、所定の位置まで差し込む。これにより、図示しないローディング機構によってディスクカートリッジ１が自動的に取リ込まれる。そして、ローディング機構で搬送されたディスクカートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００７３】
ディスクカートリッジ１が所定の位置まで挿入されると、図２２に示すように、ディスク記録再生装置６０に内蔵されたシャッタ開閉機構のラック棒７０が、ディスクカートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められる。更に、ラック棒７０が相対的に前進することにより、そのギア部７０ａの先端がインナーシェル４のギア部４３に噛み合わされる。
【００７４】
このギア部４３がラック棒７０のギア部７０ａに噛み合うことにより、ラック棒７０の移動量に応じてインナーシェル４が回転される。
【００７５】
図２２は、ラック棒７０のギア部７０ａがインナーシェル４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーシェル４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６、４２の重複部分から塵埃がディスク収納部内に入り込む虞れがない。
【００７６】
更に、開口部６と開口部４２とが鋭角で接近している部分には、一対のシャッタ部材５ａ，５ｂの軸取付部５０ｃが介在されており、これら軸取付部５０ｃがリブ状の凸部１２ａの第２，第４の背高部１２ｅ，１２ｇの内側に位置して隙間を消滅させている。また、第１，第３の背高部１２ｄ，１２ｆの内側には閉鎖用の突片５５が介在されて隙間を消滅させている。更に、一対のシャッタ部材５ａ，５ｂに設けた長孔５３は、シャッタ部材５ａ，５ｂが重なっている下シェル２２によって閉じられている。更にまた、図２３Ａ及び図１４に示したように、開口部６を囲むように下シェル２２に設けた略Ｈ形状のリブ状の凸部１２ａがシャッタ部材５ａ，５ｂに設けた溝状の凹部１２ｂに嵌まり込んでクランク状の第２の塵埃侵入阻止部１２が形成されると共に、第２の塵埃侵入阻止部１２の内側にはシャッタ部材５ａ，５ｂに設けた多数の凹凸からなるラビリンス状の第３の塵埃侵入阻止部１３が形成されているので、開口部６，４２を介して塵埃がディスク収納部内に侵入するおそれが無い。
【００７７】
この状態から、ディスクカートリッジ１の挿入動作に対応してラック棒７０がガイド溝３１内に入り込み、そのギア部７０ａとインナーシェル４のギア部４３との噛み合いが開始されると、インナーシェル４が反時計方向に回転される。この場合、インナーシェル４が回転動作を開始する初期状態では、図２２及び図２３Ａに示すように、インナーシェル４のリフトアップ用の凸部４６が上シェル２１のリフトアップ用の凸部１８に乗り上げてインナーシェル４との間で一対のシャッタ部材５ａ、５ｂを挟持した状態となっているため、インナーシェル４の回転動作には比較的大きな力が必要とされる。リフトアップ用の凸部１８，４６相互の乗り上げによる大きな摩擦力に抗してインナーシェル４を回転させることにより、図２３Ｂに示すように、リフトアップ用の凸部１８，４６相互の係合が外れ摩擦力が消滅する。そのため、これ以後のインナーシェル４の回転動作は、極めて軽く且つスムースに行うことができる。
【００７８】
インナーシェル４を回転により、インナーシェル４の底面に設けた嵌合解除用の台形状の凸部４８，４８が下シェル２２のリブ状の凸部１２ａの第１，第３の背高部１２ｄ，１２ｆに乗り上げて、下シェル２２に対してインナーシェル４が持ち上げられた状態になると共に、シャッタ部材５ａ，５ｂも上昇して、リブ状の凸部１２ａから溝状の凹部１２ｂが抜け出た状態になるのである。
【００７９】
このとき、シャッタ部材５ａ，５ｂの各軸受孔５２は、インナーシェル４の回転によって同様に回転される一方、他端側に設けた長孔５３には下シェル２２のボス状の凸部２０，２０がそれぞれ摺動可能に係合されている。この一対のボス状の凸部２０，２０は、下シェル２２に設けられていて移動することがない。その一方、長孔５３は、シャッタ部材５ａ，５ｂの回動に追従してボス状の凸部２０，２０との間に相対移動が可能なように軸受孔５２とボス状の凸部２０を結ぶ方向Ｓに延在されているので、シャッタ部材５ａ，５ｂの回動量に応じてボス状の凸部２０が長孔５３内を軸受孔５２側に相対移動する。これにより、各シャッタ部材５ａ，５ｂにおいて軸受孔５２が対応するボス状の凸部２０側に移動する。その結果、図２４の状態から、図２５、図２６及び図２７の状態を経て、図２８に示すように、各シャッタ部材５ａ，５ｂがインナーシェル４の開口部４２の両側部に移動する。これにより、上下の開口部６，４２が完全に開放される。そのため、ディスク収納部内に収納されている光デイスク３の一部が開口部６，４２によって露出される。
【００８０】
その結果、開口部６，４２からディスクカートリッジ１内へターンテーブル６７及び図示省略の光学ヘッドの挿入が可能となる。そして、記録再生装置本体６２による情報信号の再生又は記録が実行される。
【００８１】
情報信号の再生又は記録の後、例えば、ディスク記録再生装置６０に設けられるカートリッジ排出ボタン（図示せず）を操作することにより、ローディング機構の作動を介してディスクカートリッジ１がディスク記録再生装置６０から排出される。即ち、ローディング機構の排出動作によってディスクカートリッジ１がカートリッジ出入口６５側に移動すると、相対的にラック棒７０が後退動作される。
【００８２】
このラック棒７０の後退動作により、インナーシェル４及び一対のシャッタ部材５ａ，５ｂが上述した挿入時とは逆の動作を実行する。即ち、図２８に示す一対のシャッタ部材５ａ，５ｂが完全に開いた状態から、インナーシェル４及び一対のシャッタ部材５ａ，５ｂが時計方向に回動し、図２７、図２６及び図２５の状態を経て、図２４の状態に変化する。この図２７〜図２４の状態では、インナーシェル４のリフトアップ用の凸部４６は、下シェル２２のリフトアップ用の凸部１８と非接触状態にあるため、インナーシェル４を軽い力Ｆで回転させることができる。
【００８３】
次に、インナーシェル４が図２４の状態から図２２の状態に変化する際に、インナーシェル４のリフトアップ用の凸部４６が下シェル２２のリフトアップ用の凸部１８に乗り上げるため、これ以後、インナーシェル４の回動には上述した摩擦力が加えられる。一方、ボス状の凸部２０に対して長孔５３が最外側部まで移動し、弾性片５４に接触してこれを抑圧する。これにより、ボス状の凸部２０の押圧力によって弾性片５４にバネ力Ｘが発生する。この弾性片５４のバネ力Ｘによって中央の段部５０には、他方のシャッタ部材５ａ又は５ｂに作用する圧接力Ｙが発生する。
【００８４】
この圧接力Ｙは、一対のシャッタ部材５ａ，５ｂの両者に発生するため、互いの圧接力Ｙによって一対のシャッタ部材５ａ，５ｂの密閉性が更に高められる。従って、一対のシャッタ部材５ａ，５ｂの接合部における防塵性を向上させて、塵埃等がディスク収納部内に侵入するのをより効果的に防止することができる。
【００８５】
その後、ラック棒７０のギア部７０ａがギア部４３から外れた後、そのラック棒７０が開口穴３４を通過することにより、ロック部材３２の操作部３７が開口穴３４からガイド溝３１内に突出される。これと同時に、ストッパ部３６が内側に移動してギア部４３に噛み合わされる。その結果、ロック部材３２によってインナーシェル４がロックされ、その回動が停止される。そして、図２０及び図２２に示すように、一対のシャッタ部材５ａ，５ｂによって開口部６，４２の全体が完全に閉じられる。
【００８６】
【発明の効果】
本発明には次に述べるような効果がある。
（１）本発明は、支持軸の先端部に設けた凹部内に、熱かしめ装置の頭部成型チップの先端部を挿入し、前記チップで前記支持軸の先端部を前記凹部の内周側から加熱して軟化させ、前記凹部の周壁を外側に向けて倒すように塑性変形させて抜け止め用の拡径頭部を、シャッタの軸受孔の拡径孔部内に容易に形成することができる。
（２）本発明は、熱かしめ装置に、頭部成型チップを瞬間加熱及び瞬間冷却が可能な過熱手段及び冷却手段を備えたインパルスウェルダー装置を用いたので、インナーシェルのシャッタ部材を結合するための時間を短縮することができる。
（３）本発明は、前記頭部成型チップの先端面を球形状に形成したので、前記支持軸の先端の凹部の周壁を無理なく外側に向けて倒すようにして、抜け止め用の拡径頭部を形成することができる。
（４）本発明は、抜け止め用の拡径頭部を、軸受孔の上端部の拡径孔部内に収容したので、前拡径頭部がディスクカートリッジを薄肉化する上で障害になるのを防止することができる。
【図面の簡単な説明】
【図１】ディスクカートリッジを上面側から見た斜視図。
【図２】図１の分解斜視図。
【図３】ディスクカートリッジを下面側から見た斜視図。
【図４】図３の分解斜視図。
【図５】インナーシェルとシャッタ部材の斜視図。
【図６】インナーシェル上にシャッタ部材を載置した状態の斜視図。
【図７】熱かしめ装置の斜視図。
【図８】熱かしめ装置の要部の側面図。
【図９】頭部成型チップの拡大側面図。
【図１０】（Ａ）、（Ｂ）、（Ｃ）、（Ｄ）、（Ｅ）は、熱かしめ工程図。
【図１１】上シェルの内面側の平面図。
【図１２】下シェルの内面側の平面図。
【図１３】図１のＡ−Ａ断面図。
【図１４】図３のＢ−Ｂ断面図。
【図１５】下シェルにインナーシェルを組み付けて両者の開口部の位置を合わせた状態の平面図。
【図１６】下シェルにインナーシェルを組み付けて両者の開口部の位置をずらした状態の平面図。
【図１７】シャッタ部材を上面側から見た斜視図。
【図１８】シャッタ部材を下面側から見た斜視図。
【図１９】シャッタ部材をインナーシェルに取り付けて開口部を開いた状態の斜視図。
【図２０】シャッタ部材をインナーシェルに取り付けて開口部を閉じた状態の斜視図。
【図２１】ディスク記録再生装置の斜視図。
【図２２】カートリッジ筐体とシャッタ機構との動作関係を示し、シャッタ部材で開口部を完全に閉じた状態を示す説明図。
【図２３】（Ａ）はインナーシェルのリフトアップ用の凸部が上シェルのリフトアップ用の凸部に乗り上げた状態を示す断面図、（Ｂ）はインナーシェルと上シェルのリフトアップ用の凸部の係合が外れた状態を示す断面図。
【図２４】図２２の状態からインナーシェルが少し回転して一対のシャッタ部材が少し開いた状態を示す説明図。
【図２５】図２４の状態からインナーシェルが更に少し回転して一対のシャッタ部材が更に少し開いた状態を示す説明図。
【図２６】図２５の状態からインナーシェルが更に回転して一対のシャッタ部材が更に開いた状態を示す説明図。
【図２７】図２６の状態からインナーシェルが更に回転して一対のシャッタ部材が更に開いた状態を示す説明図。
【図２８】  図２７の状態からインナーシェルが更に回転して一対のシャッタ部材が完全に開いた状態を示す説明図。
【図２９】従来例の分解斜視図。
【図３０】従来例の要部の斜視図。
【図３１】（Ａ）と（Ｂ）は、従来例の熱かしめ工程図。
【符号の説明】
１…ディスクカートリッジ、２…カートリッジ筐体、３…光ディスク（情報記録媒体）、４…インナーシェル、５…シャッタ、５ａ，５ｂ…シャッタ部材、６…開口部、４９…支持軸、４９ａ…凹部、４９ｂ…抜け止め用の拡径頭部、５２…軸受孔、５２ａ…拡径孔部、２０１…熱かしめ装置、２０２…頭部成型チップ、２０２ａ…球状面、２０３…ヒーター（加熱手段）、２０９…エアーコンプレッサー（冷却手段）。
【図１】
0004089200.tif 000002
【図２】
0004089200.tif 000003
【図３】
0004089200.tif 000004
【図４】
0004089200.tif 000005
【図５】
0004089200.tif 000006
【図６】
0004089200.tif 000007
【図７】
0004089200.tif 000008
【図８】
0004089200.tif 000009
【図９】
0004089200.tif 000010
【図１０】
0004089200.tif 000011
【図１１】
0004089200.tif 000012
【図１２】
0004089200.tif 000013
【図１３】
0004089200.tif 000014
【図１４】
0004089200.tif 000015
【図１５】
0004089200.tif 000016
【図１６】
0004089200.tif 000017
【図１７】
0004089200.tif 000018
【図１８】
0004089200.tif 000019
【図１９】
0004089200.tif 000020
【図２０】
0004089200.tif 000021
【図２１】
0004089200.tif 000022
【図２２】
0004089200.tif 000023
【図２３】
0004089200.tif 000024
【図２４】
0004089200.tif 000025
【図２５】
0004089200.tif 000026
【図２６】
0004089200.tif 000027
【図２７】
0004089200.tif 000028
【図２８】
0004089200.tif 000029
【図２９】
0004089200.tif 000030
【図３０】
0004089200.tif 000031
【図３１】
0004089200.tif 000032